(57)【特許請求の範囲】
【請求項１】
瓦本体荒地の頭側から尻側の流れ方向にケーブル、又は電線管用の差込孔を有するトンネル荒地が形成された荒地において、
このトンネル荒地の流れ方向の略真中に切込みを入れるとともに、この切込みから、前記尻側に至るトンネル荒地箇所を切り落とし、この切込みの基端には、前記瓦本体荒地の裏面に到る貫通孔を開設し、前記切り込みの切り落とし側を押え込み前記トンネル荒地の閉塞差込孔を形成するとともに、この貫通孔とこの差込孔とを連通する構成とした配線瓦の荒地。
【請求項２】
前記切込みは、前記トンネル荒地の流れ方向の略真中に設けた袈裟切り状とする構成とした請求項１に記載の荒地。
【請求項３】
前記トンネル荒地の流れ方向の略真中に設けた袈裟切り状の切込みの基端は、前記貫通孔の上にあり、かつこの袈裟切り状の切込みの他端は、この貫通孔より前記尻側に位置する構成とした請求項１、又は請求項２に記載の荒地。
【請求項４】
前記切込みの基端は、前記瓦本体荒地の表面に位置し、前記切込みの他端は、前記トンネル荒地の天板面に位置した構成とした請求項１、又は請求項２に記載の荒地。
【請求項５】
下型には膨出中子を形成し、この膨出中子は、請求項１に記載の荒地に穿った貫通孔に差込み支持されるとともに、上型には請求項１に記載のトンネル荒地を取込む凹溝、及び請求項１に記載の切込みの切り落とし側を押え込む湾曲面とを穿った構成とし、
前記荒地に、ケーブルの差込孔と、このケーブルを屋根地に導くとともに、この屋根地に向かった開口する請求項１に記載の貫通孔を形成可能とする構成とした荒地から瓦素地を成形する金型。
【請求項６】
請求項５に記載の上型には、請求項１に記載のトンネル荒地内に挿入される差込中子を有する構成とした請求項５に記載の荒地から瓦素地を成形する金型。
【請求項７】
請求項５に記載の上型に、空気抜き孔を穿った構成とした請求項５に記載の荒地から瓦素地を成形する金型。
【発明の詳細な説明】
【技術分野】
【０００１】
本発明は、太陽光発電用の配線瓦、融雪瓦等の特殊瓦とか、通常の瓦（場合により）の荒地と、荒地から瓦素地を成形する金型に関する。
【背景技術】
【０００２】
従来、配線瓦の荒地、荒地から瓦素地を成形する金型に関しては、人手による一品生産化、本出願人が提案する特開２０１１−２０８４４６号公報に記載の「配線瓦」がある。この発明は、配線挿入用の孔、及び孔周辺の尻側等を囲繞する倒Ｕ字形でなる壁片、並びに止水壁片を備えた陶器瓦本体に、陶器瓦本体に載架されるとともに、孔、壁片と止水壁片をカバーし、配線挿入用の開口部を備えたカバー体との二部品でなる構造である。従って、荒地、瓦素地の製造は、容易であるとともに、量産化に適する。しかし、陶器瓦本体とカバー体との組付けに、人手と時間を要することが考えられる。また、二部品であり、段取り、仕掛け、或いは在庫管理等の準備に手間と管理が必要となり、厄介であり、かつ各作業の関連性に関して注意が必要となり、殊の外厄介であり、改良の余地が挙げられる。
【０００３】
【特許文献１】特開２０１１−２０８４４６号公報
【発明の概要】
【発明が解決しようとする課題】
【０００４】
即ち、従来技術は、陶器瓦本体とカバー体との二部品構造である。陶器瓦本体とカバー体との組付けに、人手と時間を要することが考えられる。また、二部品構造であるが故に、段取り、仕掛け、或いは在庫管理等の準備に手間と管理が必要となり、厄介であり、かつ各作業の関連性に関して注意が必要となり、殊の外厄介であり、問題となることが考えられる。
【課題を解決するための手段】
【０００５】
上記に鑑み、本発明は、従来問題となっている課題を解決するために、以下に説明する請求項１〜３の荒地と、請求項４〜６の荒地から瓦素地を成形する金型とを提供する。
【発明の効果】
【０００６】
請求項１の発明は、瓦本体荒地の頭側から尻側の流れ方向にケーブル、又は電線管用の差込孔を有するトンネル荒地が形成された荒地において、
トンネル荒地の流れ方向の略真中に切り込みを入れるとともに、切込みから、尻側に至るトンネル荒地箇所を切り落とし、切込みの基端には、瓦本体荒地の裏面に到る貫通孔を開設し、切り込みの切り落とし側を押え込みトンネル荒地の閉塞差込孔を形成するとともに、貫通孔と差込孔とを連通する配線瓦の荒地であり、配線瓦の荒地（荒地とする）を、一体製品として成形でき構造を確保できる特徴がある。この一体製品の荒地を、粘土の特性と、水分率、又は油、離形剤の添加調整を駆使するとともに、工程組合せ等の手段により、製造することと、一体製品の荒地を、スムース、かつ効率的に成形し、人手の軽減化と、工程・時間・段取り等の省略化、並びに量産化のメドを達成しつつ、コストの低減化等が図れること、等の実益性を備えている。
【０００７】
請求項２の発明は、切込みは、トンネル荒地の流れ方向の略真中に設けた袈裟切り状とする構成とした荒地であり、請求項１の特徴と実益性達成に役立つことと、トンネル荒地の切込みの切り落とし側の押え込みと、この押さえ込みを確実に達成できること、等の実益性を備えている。
【０００８】
請求項３の発明は、トンネル荒地の流れ方向の略真中に設けた袈裟切り状の切込みの基端は、貫通孔の上にあり、かつ袈裟切り状の切込みの他端は、貫通孔より尻側に位置する荒地であり、請求項１、又は請求項２の特徴と実益性達成に役立つことと、トンネル荒地と切込みとの総合関係の構造を提案できること、等の実益性を備えている。
【０００９】
請求項４の発明は、切込みの基端は、瓦本体荒地の表面に位置し、切込みの他端は、トンネル荒地の天板面に位置した荒地であり、請求項１、又は請求項２の特徴と実益性達成に役立つことと、瓦本体荒地と切込みとの総合関係の構造を提案できること、等の実益性を備えている。
【００１０】
請求項５の発明は、下型には膨出中子を形成し、膨出中子は、請求項１に記載の荒地に穿った貫通孔に差込み支持されるとともに、上型には請求項１に記載のトンネル荒地を取込む凹溝、及び請求項１に記載の切込みの切り落とし側を押え込む湾曲面とを穿った構成とし、
荒地に、ケーブルの差込孔と、ケーブルを屋根地に導くとともに、屋根地に向かった開口する請求項１に記載の貫通孔を形成可能とする構成とした荒地から瓦素地を成形する金型であり、配線瓦の瓦素地（瓦素地とする）を、一体製品として成形でき構造を確保できる特徴がある。この一体製品の瓦素地を、粘土の特性と、水分率、又は油、離形剤の添加調整を駆使するとともに、工程組合せ等の手段により、製造することと、一体製品の瓦素地を、スムース、かつ効率的に成形し、人手の軽減化と、工程・時間・段取り等の省略化、並びに量産化のメドを達成しつつ、コストの低減化等が図れること、等の実益性を備えている。
【００１１】
請求項６の発明は、請求項５に記載の上型には、請求項１に記載のトンネル荒地内に挿入される差込み中子を有する構成とした荒地から瓦素地を成形する金型であり、請求項５の特徴と実益性達成に役立つことと、上型と差込み中子との総合関係の構造を提案できること、等の実益性を備えている。
【００１２】
請求項７の発明は、請求項５に記載の上型に空気抜き孔を穿った構成とした荒地から瓦素地を成形する金型であり、請求項５の特徴と実益性達成に役立つことと、瓦素地を、金型から、スムース、かつ確実に取出しできる構造を提案できること、等の実益性を備えている。
【図面の簡単な説明】
【００１３】
【図１−１】荒地の基本形態を示した斜視図
【図１−２】荒地の底面から表面に向かって、仕上がりで貫通孔となる箇所の荒地の一部を切り取った状態の仰視図
【図１−３】トンネル荒地の流れ方向の略真中に袈裟切り状の切り込みを入れて切り取った状態の斜視図
【図１−４】図１−３の断面図
【図２−１】上下型が解放された状態を示した断面図
【図２−２】荒地を下型にセットし、上型が上昇限にある状態を示した断面図
【図２−３】図２−２の状態より、上型が降下し、トンネル荒地内にトンネル中子が差込まれ、かつ上型が下型に密着する状態を示した断面図
【図３−１】トンネル荒地の流れ方向の略真中に直線状の切り込みを入れて切り取った状態の斜視図
【図３−２】図３−１の断面図
【図４−１】成形された平板用の瓦素地の一例を示した俯瞰図
【図４−２】成形された和形用の瓦素地の一例を示した俯瞰図
【図５−１】下型を示した俯瞰図
【図５−２】上型を引っくり返し状態を示した俯瞰図
【図６】配線瓦の使用状態を示した拡大断面模式図
【発明を実施するための形態】
【００１４】
図１−１〜図１−４において、１はドレン機（図示しない）から押出された荒地の基本形態であり、厚みを備えた瓦本体荒地１００と、ケーブル２００、又はケーブル２００を収容し、かつ保護する電線管２、又はＰＦ管が差込まれる差込孔１０１を有する厚みを備えたトンネル荒地１０２とで構成されている。このトンネル荒地１０２の尻側Ａ（葺設時における。以下同じ）に切り込み３を入れて切り取る。この一例では袈裟切り形状であり、トンネル荒地１０２の上天の尻側Ａから、トンネル荒地１０２の下天の頭側Ｂに向かって傾斜している（図１−３参照）。また、この下天の頭側Ｂに繋がるように瓦本体荒地１００には、貫通孔５を形成する。そのために、該部位の肉を取り除いている。
【００１５】
図２−１と図２−２、及び図５−１と図５−２において、荒地の基本形態１を、上下型１０、１１にセットする。この下型１１には、貫通孔５を確保するとともに、トンネル荒地１０２の切り落とし側１０２ａの押さえ込みに耐え、かつ半截椀形面を確保するために膨出中子１１００を備えている。また、上型１０には、切り落とし側１０２ａを押え込んで湾曲面（トンネル２０の半截椀形面）を形成し、かつ瓦本体荒地１００を受入れるキャビティー空間Ｈを形成する凹溝１０００（空間部）を有する。このキャビティー空間Ｈとは、上型１０の凹溝１０００と下型１１の表面１１０１との間で形成された空間である。また、上型１０には、トンネル荒地１０２内に挿入される差込中子１００１を可動するプレス機１００２が付設されている。
【００１６】
この上下型１０、１１の動作を、図２−１〜図２−３において説明すると、図２−１は、上下型１０、１１が開放された状態であり、次に進む。即ち、２−２の如く、下型１１の膨出中子１１００を、瓦本体荒地１００の貫通孔５に挿入するとともに、下型１１に荒地の基本形態１をセットする。そして、プレス機１００２を備えた上型１０が降下する。この上型１０の凹溝１０００がトンネル荒地１０２に被さっていくとともに、瓦本体荒地１００に、上型１０の下面（裏面）が接触する。これにより、トンネル荒地１０２は、キャビティー空間Ｈ内に収まるとともに、トンネル荒地１０２の切り落とし側１０２ａは、膨出中子１１００の半截椀形面１１００ａと、凹溝１０００の絞込み半截椀形面１０００ａとにより、半截椀形に絞り込み、かつトンネル荒地１０２の尻側Ａを閉塞する。
【００１７】
トンネル荒地１０２が、キャビティー空間Ｈ内に収まり、上下型１０、１１が合体するとともに、切り落とし側１０２ａが、半截椀形に絞り込まれて、かつトンネル荒地１０２の尻側Ａを閉塞される（閉塞差込孔「図２−３参照」）と、プレス機１００２が駆動し、差込中子１００１が、トンネル荒地１０２の貫通孔５内に進入していき、瓦素地３０のトンネル２０を形成する。この際に、トンネル２０への均等な粘土の移動が達成されることと、瓦本体２１のトンネル２０の下側近郊への均等な粘土の移動が達成される。従って、瓦素地３０、及び／又は、トンネル２０の強度の向上と、配線瓦４０の品質向上等に役立つ実益がある。図中１３は上型１０に設けたガス抜きである。
【００１８】
尚、瓦素地３０の離型と、上下型１０、１１の離型、並びにプレス機１００２の戻りは、前述の逆の操作となる。
【００１９】
図３−１と図３−２は、荒地の基本形態１において、トンネル荒地１０２の切り落とし側１０２ａを直線形状とした構造であり、該直線形状は、前述の袈裟切り形状の切り落とし側１０２ａに準ずる。
【００２０】
図６の使用状態を示した拡大断面模式図において、瓦素地３０を焼成、かつ釉薬を塗布して製造した配線瓦４０のトンネル２０には、ケーブル２００が挿入される電線管２が差込み支持されており、該電線管２に収容されたケーブル２００が野地板４２の下側に導かれる。図中４１は瓦を示す。
【００２１】
以上は平板瓦について説明したが、図４−２に示した和形においても同じである。
【００２２】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００２３】
１  荒地の基本形態
１００  瓦本体荒地
１０１  差込孔
１０２  トンネル荒地
１０２ａ  切り落とし側
２  電線管
２００  ケーブル
３  切り込み
５  貫通孔
１０  上型
１０００  凹溝
１０００ａ  絞込み半截椀形面
１００１  差込中子
１００２  プレス機
１１  下型
１１００  膨出中子
１１００ａ  半截椀形面
１１０１  表面
１３  ガス抜き
２０  トンネル
２１  瓦本体
３０  瓦素地
４０  配線瓦
４１  瓦
４２  野地板
Ａ  尻側
Ｂ  頭側
Ｈ  キャビティー空間
【図１−１】
0006474309.tif 000002
【図１−２】
0006474309.tif 000003
【図１−３】
0006474309.tif 000004
【図１−４】
0006474309.tif 000005
【図２−１】
0006474309.tif 000006
【図２−２】
0006474309.tif 000007
【図２−３】
0006474309.tif 000008
【図３−１】
0006474309.tif 000009
【図３−２】
0006474309.tif 000010
【図４−１】
0006474309.tif 000011
【図４−２】
0006474309.tif 000012
【図５−１】
0006474309.tif 000013
【図５−２】
0006474309.tif 000014
【図６】
0006474309.tif 000015